【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
画素部は、赤色に発光する第１の画素と、緑色に発光する第２の画素と、青色に発光する第３の画素と、を有し、
前記赤色に発光する第１の画素は、
第１のＥＬ素子と、
前記第１のＥＬ素子と電気的に接続され、かつ前記第１のＥＬ素子に流れる電流を制御するための、第１の電流制御ＴＦＴと、
前記第１の電流制御ＴＦＴに入力される信号を制御するための、第１のスイッチングＴＦＴと、
前記第１の電流制御ＴＦＴのゲート電極と電気的に接続され、かつ前記第１の電流制御ＴＦＴのゲート電極に印加される電圧を保持するための、第１のコンデンサと、
を有し、
前記緑色に発光する第２の画素は、
第２のＥＬ素子と、
前記第２のＥＬ素子と電気的に接続され、かつ前記第２のＥＬ素子に流れる電流を制御するための、第２の電流制御ＴＦＴと、
前記第２の電流制御ＴＦＴに入力される信号を制御するための、第２のスイッチングＴＦＴと、
前記第２の電流制御ＴＦＴのゲート電極と電気的に接続され、かつ前記第２の電流制御ＴＦＴのゲート電極に印加される電圧を保持するための、第２のコンデンサと、
を有し、
前記青色に発光する第３の画素は、
第３のＥＬ素子と、
前記第３のＥＬ素子と電気的に接続され、かつ前記第３のＥＬ素子に流れる電流を制御するための、第３の電流制御ＴＦＴと、
前記第３の電流制御ＴＦＴに入力される信号を制御するための、第３のスイッチングＴＦＴと、
前記第３の電流制御ＴＦＴのゲート電極と電気的に接続され、かつ前記第３の電流制御ＴＦＴのゲート電極に印加される電圧を保持するための、第３のコンデンサと、
を有し、
前記第１のＥＬ素子乃至前記第３のＥＬ素子は、それぞれ、下部電極と上部電極との間に、発光層を有し、
前記第１のＥＬ素子乃至前記第３のＥＬ素子からの発光はいずれも、前記下部電極側へ放射され、
前記第１のＥＬ素子は、トリプレットより発光し、
前記第３のＥＬ素子は、シングレットより発光し、
前記第１のＥＬ素子、前記第２のＥＬ素子、及び前記第３のＥＬ素子の動作電圧は、いずれも１０Ｖ以下となることを特徴とするアクティブマトリクス型発光装置。
【請求項２】
画素部は、赤色に発光する第１の画素と、緑色に発光する第２の画素と、青色に発光する第３の画素と、を有し、
前記赤色に発光する第１の画素は、
第１のＥＬ素子と、
前記第１のＥＬ素子と電気的に接続され、かつ前記第１のＥＬ素子に流れる電流を制御するための、第１の電流制御ＴＦＴと、
前記第１の電流制御ＴＦＴに入力される信号を制御するための、第１のスイッチングＴＦＴと、
前記第１の電流制御ＴＦＴのゲート電極と電気的に接続され、かつ前記第１の電流制御ＴＦＴのゲート電極に印加される電圧を保持するための、第１のコンデンサと、
を有し、
前記緑色に発光する第２の画素は、
第２のＥＬ素子と、
前記第２のＥＬ素子と電気的に接続され、かつ前記第２のＥＬ素子に流れる電流を制御するための、第２の電流制御ＴＦＴと、
前記第２の電流制御ＴＦＴに入力される信号を制御するための、第２のスイッチングＴＦＴと、
前記第２の電流制御ＴＦＴのゲート電極と電気的に接続され、かつ前記第２の電流制御ＴＦＴのゲート電極に印加される電圧を保持するための、第２のコンデンサと、
を有し、
前記青色に発光する第３の画素は、
第３のＥＬ素子と、
前記第３のＥＬ素子と電気的に接続され、かつ前記第３のＥＬ素子に流れる電流を制御するための、第３の電流制御ＴＦＴと、
前記第３の電流制御ＴＦＴに入力される信号を制御するための、第３のスイッチングＴＦＴと、
前記第３の電流制御ＴＦＴのゲート電極と電気的に接続され、かつ前記第３の電流制御ＴＦＴのゲート電極に印加される電圧を保持するための、第３のコンデンサと、
を有し、
前記第１のＥＬ素子乃至前記第３のＥＬ素子は、それぞれ、下部電極と上部電極との間に、発光層を有し、
前記第１のＥＬ素子乃至前記第３のＥＬ素子からの発光はいずれも、前記下部電極側へ放射され、
前記第１のＥＬ素子は、トリプレットより発光し、
前記第３のＥＬ素子は、シングレットより発光することを特徴とするアクティブマトリクス型発光装置。
【請求項３】
画素部は、赤色に発光する第１の画素と、緑色に発光する第２の画素と、青色に発光する第３の画素と、を有し、
前記赤色に発光する第１の画素は、
第１のＥＬ素子と、
前記第１のＥＬ素子と電気的に接続され、かつ前記第１のＥＬ素子に流れる電流を制御するための、第１の電流制御ＴＦＴと、
前記第１の電流制御ＴＦＴに入力される信号を制御するための、第１のスイッチングＴＦＴと、
前記第１の電流制御ＴＦＴのゲート電極と電気的に接続され、かつ前記第１の電流制御ＴＦＴのゲート電極に印加される電圧を保持するための、第１のコンデンサと、
を有し、
前記緑色に発光する第２の画素は、
第２のＥＬ素子と、
前記第２のＥＬ素子と電気的に接続され、かつ前記第２のＥＬ素子に流れる電流を制御するための、第２の電流制御ＴＦＴと、
前記第２の電流制御ＴＦＴに入力される信号を制御するための、第２のスイッチングＴＦＴと、
前記第２の電流制御ＴＦＴのゲート電極と電気的に接続され、かつ前記第２の電流制御ＴＦＴのゲート電極に印加される電圧を保持するための、第２のコンデンサと、
を有し、
前記青色に発光する第３の画素は、
第３のＥＬ素子と、
前記第３のＥＬ素子と電気的に接続され、かつ前記第３のＥＬ素子に流れる電流を制御するための、第３の電流制御ＴＦＴと、
前記第３の電流制御ＴＦＴに入力される信号を制御するための、第３のスイッチングＴＦＴと、
前記第３の電流制御ＴＦＴのゲート電極と電気的に接続され、かつ前記第３の電流制御ＴＦＴのゲート電極に印加される電圧を保持するための、第３のコンデンサと、
を有し、
前記第１のＥＬ素子乃至前記第３のＥＬ素子は、それぞれ、下部電極と上部電極との間に、正孔注入層及び発光層を有し、
前記第１のＥＬ素子の正孔注入層、前記第２のＥＬ素子の正孔注入層、及び前記第３のＥＬ素子の正孔注入層は、前記第１の画素乃至前記第３の画素において共通の層として設けられており、
前記第１のＥＬ素子乃至前記第３のＥＬ素子からの発光はいずれも、前記下部電極側へ放射され、
前記第１のＥＬ素子は、トリプレットより発光し、
前記第３のＥＬ素子は、シングレットより発光することを特徴とするアクティブマトリクス型発光装置。
【請求項４】
請求項１乃至請求項３のいずれか一において、
前記下部電極は、前記上部電極より仕事関数の大きい導電膜を有することを特徴とするアクティブマトリクス型発光装置。
【請求項５】
請求項１乃至請求項４のいずれか一において、
前記上部電極は、酸化インジウム、酸化スズ、酸化亜鉛又はそれらの化合物を有することを特徴とするアクティブマトリクス型発光装置。
【請求項６】
画素部は、赤色に発光する第１の画素と、緑色に発光する第２の画素と、青色に発光する第３の画素と、を有し、
前記赤色に発光する第１の画素は、
第１のＥＬ素子と、
前記第１のＥＬ素子と電気的に接続され、かつ前記第１のＥＬ素子に流れる電流を制御するための、第１の電流制御ＴＦＴと、
前記第１の電流制御ＴＦＴに入力される信号を制御するための、第１のスイッチングＴＦＴと、
前記第１の電流制御ＴＦＴのゲート電極と電気的に接続され、かつ前記第１の電流制御ＴＦＴのゲート電極に印加される電圧を保持するための、第１のコンデンサと、
を有し、
前記緑色に発光する第２の画素は、
第２のＥＬ素子と、
前記第２のＥＬ素子と電気的に接続され、かつ前記第２のＥＬ素子に流れる電流を制御するための、第２の電流制御ＴＦＴと、
前記第２の電流制御ＴＦＴに入力される信号を制御するための、第２のスイッチングＴＦＴと、
前記第２の電流制御ＴＦＴのゲート電極と電気的に接続され、かつ前記第２の電流制御ＴＦＴのゲート電極に印加される電圧を保持するための、第２のコンデンサと、
を有し、
前記青色に発光する第３の画素は、
第３のＥＬ素子と、
前記第３のＥＬ素子と電気的に接続され、かつ前記第３のＥＬ素子に流れる電流を制御するための、第３の電流制御ＴＦＴと、
前記第３の電流制御ＴＦＴに入力される信号を制御するための、第３のスイッチングＴＦＴと、
前記第３の電流制御ＴＦＴのゲート電極と電気的に接続され、かつ前記第３の電流制御ＴＦＴのゲート電極に印加される電圧を保持するための、第３のコンデンサと、
を有し、
前記第１のＥＬ素子乃至前記第３のＥＬ素子は、それぞれ、下部電極と上部電極との間に、発光層を有し、
前記第１のＥＬ素子乃至前記第３のＥＬ素子からの発光はいずれも、前記上部電極側へ放射され、
前記第１のＥＬ素子は、トリプレットより発光し、
前記第３のＥＬ素子は、シングレットより発光し、
前記第１のＥＬ素子、前記第２のＥＬ素子、及び前記第３のＥＬ素子の動作電圧は、いずれも１０Ｖ以下となることを特徴とするアクティブマトリクス型発光装置。
【請求項７】
画素部は、赤色に発光する第１の画素と、緑色に発光する第２の画素と、青色に発光する第３の画素と、を有し、
前記赤色に発光する第１の画素は、
第１のＥＬ素子と、
前記第１のＥＬ素子と電気的に接続され、かつ前記第１のＥＬ素子に流れる電流を制御するための、第１の電流制御ＴＦＴと、
前記第１の電流制御ＴＦＴに入力される信号を制御するための、第１のスイッチングＴＦＴと、
前記第１の電流制御ＴＦＴのゲート電極と電気的に接続され、かつ前記第１の電流制御ＴＦＴのゲート電極に印加される電圧を保持するための、第１のコンデンサと、
を有し、
前記緑色に発光する第２の画素は、
第２のＥＬ素子と、
前記第２のＥＬ素子と電気的に接続され、かつ前記第２のＥＬ素子に流れる電流を制御するための、第２の電流制御ＴＦＴと、
前記第２の電流制御ＴＦＴに入力される信号を制御するための、第２のスイッチングＴＦＴと、
前記第２の電流制御ＴＦＴのゲート電極と電気的に接続され、かつ前記第２の電流制御ＴＦＴのゲート電極に印加される電圧を保持するための、第２のコンデンサと、
を有し、
前記青色に発光する第３の画素は、
第３のＥＬ素子と、
前記第３のＥＬ素子と電気的に接続され、かつ前記第３のＥＬ素子に流れる電流を制御するための、第３の電流制御ＴＦＴと、
前記第３の電流制御ＴＦＴに入力される信号を制御するための、第３のスイッチングＴＦＴと、
前記第３の電流制御ＴＦＴのゲート電極と電気的に接続され、かつ前記第３の電流制御ＴＦＴのゲート電極に印加される電圧を保持するための、第３のコンデンサと、
を有し、
前記第１のＥＬ素子乃至前記第３のＥＬ素子は、それぞれ、下部電極と上部電極との間に、発光層を有し、
前記第１のＥＬ素子乃至前記第３のＥＬ素子からの発光はいずれも、前記上部電極側へ放射され、
前記第１のＥＬ素子は、トリプレットより発光し、
前記第３のＥＬ素子は、シングレットより発光することを特徴とするアクティブマトリクス型発光装置。
【請求項８】
画素部は、赤色に発光する第１の画素と、緑色に発光する第２の画素と、青色に発光する第３の画素と、を有し、
前記赤色に発光する第１の画素は、
第１のＥＬ素子と、
前記第１のＥＬ素子と電気的に接続され、かつ前記第１のＥＬ素子に流れる電流を制御するための、第１の電流制御ＴＦＴと、
前記第１の電流制御ＴＦＴに入力される信号を制御するための、第１のスイッチングＴＦＴと、
前記第１の電流制御ＴＦＴのゲート電極と電気的に接続され、かつ前記第１の電流制御ＴＦＴのゲート電極に印加される電圧を保持するための、第１のコンデンサと、
を有し、
前記緑色に発光する第２の画素は、
第２のＥＬ素子と、
前記第２のＥＬ素子と電気的に接続され、かつ前記第２のＥＬ素子に流れる電流を制御するための、第２の電流制御ＴＦＴと、
前記第２の電流制御ＴＦＴに入力される信号を制御するための、第２のスイッチングＴＦＴと、
前記第２の電流制御ＴＦＴのゲート電極と電気的に接続され、かつ前記第２の電流制御ＴＦＴのゲート電極に印加される電圧を保持するための、第２のコンデンサと、
を有し、
前記青色に発光する第３の画素は、
第３のＥＬ素子と、
前記第３のＥＬ素子と電気的に接続され、かつ前記第３のＥＬ素子に流れる電流を制御するための、第３の電流制御ＴＦＴと、
前記第３の電流制御ＴＦＴに入力される信号を制御するための、第３のスイッチングＴＦＴと、
前記第３の電流制御ＴＦＴのゲート電極と電気的に接続され、かつ前記第３の電流制御ＴＦＴのゲート電極に印加される電圧を保持するための、第３のコンデンサと、
を有し、
前記第１のＥＬ素子乃至前記第３のＥＬ素子は、それぞれ、下部電極と上部電極との間に、正孔注入層及び発光層を有し、
前記第１のＥＬ素子の正孔注入層、前記第２のＥＬ素子の正孔注入層、及び前記第３のＥＬ素子の正孔注入層は、前記第１の画素乃至前記第３の画素において共通の層として設けられており、
前記第１のＥＬ素子乃至前記第３のＥＬ素子からの発光はいずれも、前記上部電極側へ放射され、
前記第１のＥＬ素子は、トリプレットより発光し、
前記第３のＥＬ素子は、シングレットより発光することを特徴とするアクティブマトリクス型発光装置。
【請求項９】
請求項６乃至請求項８のいずれか一において、
前記上部電極は、前記下部電極より仕事関数の大きい導電膜を有することを特徴とするアクティブマトリクス型発光装置。
【請求項１０】
請求項６乃至請求項９のいずれか一において、
前記上部電極は、酸化インジウム、酸化スズ、酸化亜鉛又はそれらの化合物を有することを特徴とするアクティブマトリクス型発光装置。